(57)【要約】【課題】障子閉鎖時に一側が他側より強く窓枠内部側に入り込む力を受けても、リンク機構に負荷が増えず、また、障子の開閉や風圧や引き寄せなどの荷重に対する取付ビスの荷重負担を軽減し、障子の開閉や風圧等の荷重に対して安定させる。【解決手段】サッシの窓枠と障子とを備え、障子をリンク機構を介して押し出し又は引き戻して開閉可能に支持する構造において、障子２の異なる２つの框３、４にはリンク機構２４が取り付けられる縦桟１７が橋渡し状に設けられ、桟の２つの框に対する取付部およびその近傍１４、１５の断面積を、桟の中間部の断面積よりも小さく形成した。また、縦桟１７の端部は障子の２つの框の室内側部に設けられた凹溝１９、２０に嵌合して取り付けた。【選択図】図６
2006144287.tif 000002
【特許請求の範囲】
【請求項１】
壁の開口部に嵌め込まれるサッシの窓枠と、この窓枠の開口部に配置された障子とを備え、前記障子をリンク機構を介して略水平方向に押し出し又は引き戻しによって開閉可能に支持するサッシの障子支持構造において、
前記障子の異なる２つの框には前記リンク機構が取り付けられる桟が橋渡し状に設けられ、該桟の前記２つの框に対する取付部およびその近傍の断面積を前記桟の中間部の断面積よりも小さく形成して上記取付部およびその近傍の剛性を前記桟の中間部の剛性よりも小さくしたことを特徴とするサッシの障子支持構造。
【請求項２】
壁の開口部に嵌め込まれるサッシの窓枠と、この窓枠の開口部に配置された障子とを備え、前記障子をリンク機構を介して略水平方向に押し出し又は引き戻しによって開閉可能に支持するサッシの障子支持構造において、
前記障子の異なる２つの框には前記リンク機構が取り付けられる桟が橋渡し状に設けられ、該桟の端部は前記障子の前記２つの框の室内側部に設けられた凹溝に嵌合して取り付けられていることを特徴とするサッシの障子支持構造。
【請求項３】
前記桟は縦桟で、該縦桟の障子上部框および下框への取付部の見込み方向の形状は、該縦桟の中間部より細く板状に形成されていることを特徴とする、請求項１又は２に記載のサッシの障子支持構造。
【請求項４】
前記縦桟の障子上部框および下框への取付部は、該縦桟の端部を切除して見込み方向の形状を中間部より細く形成したことを特徴とする、請求項１又は２に記載のサッシの障子支持構造。
【請求項５】
前記縦桟は、障子上部框および下框へ取り付ける取付部材と該取付部材の中間部を補強する補強部材とからなることを特徴とする、請求項１又は２に記載のサッシの障子支持構造。
【請求項６】
前記窓枠が切妻部等に設けられ、屋根の下り勾配に沿った辺を有する形状に区画された破風サッシの窓枠である、請求項１〜５のいずれかに記載のサッシの障子支持構造。
【発明の詳細な説明】
【技術分野】
【０００１】
本発明は、サッシの窓枠に対して開閉用のリンク機構を介して障子を支持するための障子支持構造に関する。
【背景技術】
【０００２】
一般に、通常の矩形サッシをリンク機構によって開閉作動させる場合、そのリンク機構は、障子の同一見込内の垂直に対向する１対の框に設置されている。すなわち、リンク機構の一方をサッシの窓枠の枠材に、他方を障子の框にそれぞれ取り付け、リンク機構を利用して障子を屋外側に押し出し又は引き戻して開閉作動させるものが知られている。
【０００３】
また、住宅の切妻面頂部に設けた略三角形状のサッシのような異形サッシでは、垂直に対向する枠と框がなかったり、あるいは開閉機構を設置するには不向きな位置にある等の理由により、開閉機構を設置することが困難な場合がある。
【０００４】
そのため、開閉機構を設けるためには、特許文献１、２に示されるように、サッシ窓枠を方立、無目等によって分割して単純な矩形の枠部を形成し、この枠部内に同じ形状の障子を開閉可能に設ける構成となっており、開閉機構としてリンク機構が利用されていた。
【０００５】
また、異形サッシの障子の上部の框と下框との間に縦桟を橋渡し状に取り付け、縦桟にリンク機構を取り付け、このリンク機構によって障子を屋外側に押し出し又は引き戻して開閉する方式も考えられている。
【０００６】
いずれの場合も、窓枠に対して障子を屋外側に略平行に押し出し又は引き戻して開閉するサッシの障子支持構造においては、障子と窓枠とをリンク機構を介して連結し、リンク機構の作動によって障子を移動させている。
【０００７】
ところで、障子を開放状態から閉鎖するとき、リンク機構が作動して障子を屋内側に強く引き寄せて確実に窓枠の障子受け部に隙間なく密着させる必要がある。このため、リンク機構に引き寄せ機構を持たせている。つまり、障子を平行に窓枠に引き寄せるのではなく、障子の一方の側を他方の側よりも先に窓枠に当接するように引き寄せる。その方が障子を均一に窓枠に圧接することができる。
【特許文献１】特許第３５２２８９９号公報
【特許文献２】特開平８−１９３３８０号公報
【発明の開示】
【発明が解決しようとする課題】
【０００８】
しかしながら、上記引き寄せ機構によれば、障子が閉鎖する直前には、障子の一方の側が閉鎖時よりも窓枠内部側に入り込むという特性があるため、リンク機構に対する負荷が増大し、耐久性能に影響があり、不利となっていた。また、窓枠の気密材の耐久性にも悪影響があった。
【０００９】
特に、切妻部等に設けられる三角形状の破風サッシなどのように、頂部の高さだけが極端に大きい窓では、構造上障子の上端側が窓枠内部側に大きく入り込むのを避けられないため、リンク機構への負荷の増大は深刻な問題であった。
【００１０】
また、リンク機構は障子の縦桟や上部框や下框の室内側の面に取付ビスで固定されていた。このため、開放時の障子の重量や風圧やリンク機構の引き寄せによる荷重等は全て取付ビスで受けており、その荷重負担が大きかった。また、これらの荷重に対し、より安定した支持構造が望まれていた。
【００１１】
本発明は、上記問題点を解消し、閉鎖時のリンク機構の引き寄せ機構により障子の一方の側が他方よりも強く窓枠内部側に入り込む力を受けても、リンク機構に対する負荷が過大にならず、耐久性能も損なわれることがないサッシの障子支持構造を提供することをその第１の課題とする。
【００１２】
また、本発明は、障子の開閉や風圧や引き寄せなどの荷重に対する取付ビスの荷重負担を軽減し、障子の開閉や風圧等の荷重に対する安定したサッシの障子支持構造を提供することをその第２の課題とする。
【課題を解決するための手段】
【００１３】
前記第１の課題を解決するため、請求項１に係るサッシの障子支持構造は、壁の開口部に嵌め込まれるサッシの窓枠と、この窓枠の開口部に配置された障子とを備え、前記障子をリンク機構を介して略水平方向に押し出し又は引き戻しによって開閉可能に支持するサッシの障子支持構造において、前記障子の異なる２つの框には前記リンク機構が取り付けられる桟が橋渡し状に設けられ、該桟の前記２つの框に対する取付部およびその近傍の断面積を前記桟の中間部の断面積よりも小さく形成して上記取付部およびその近傍の剛性を前記桟の中間部の剛性よりも小さくしたことを特徴とする。
【００１４】
前記第２の課題を解決するため、請求項2に係るサッシの障子支持構造は、壁の開口部に嵌め込まれるサッシの窓枠と、この窓枠の開口部に配置された障子とを備え、前記障子をリンク機構を介して略水平方向に押し出し又は引き戻しによって開閉可能に支持するサッシの障子支持構造において、前記障子の異なる２つの框には前記リンク機構が取り付けられる桟が橋渡し状に設けられ、該桟の端部は前記障子の前記２つの框の室内側部に設けられた凹溝に嵌合して取り付けられていることを特徴とする。
【００１５】
請求項３に係るサッシの障子支持構造は、請求項１又は２において、前記桟は縦桟で、該縦桟の障子上部框および下框への取付部の見込み方向の形状は、該縦桟の中間部より細く板状に形成されていることを特徴とする。
【００１６】
請求項４に係るサッシの障子支持構造は、請求項１又は２において、前記縦桟の障子上部框および下框への取付部は、該縦桟の端部を切除して見込み方向の形状を中間部より細く形成したことを特徴とする。
【００１７】
請求項５に係るサッシの障子支持構造は、請求項１又は２において、前記縦桟は、障子上部框および下框へ取り付ける取付部材と該取付部材の中間部を補強する補強部材とからなることを特徴とする。
【００１８】
請求項６に係るサッシの障子支持構造は、請求項１〜５のいずれかにおいて、前記窓枠が切妻部等に設けられ、屋根の下り勾配に沿った辺を有する形状に区画された破風サッシの窓枠であることを特徴とする。
【発明の効果】
【００１９】
請求項１に係る発明によれば、障子の異なる２つの框に橋渡し状に設けられた桟の断面積を、上記２つの框に対する取付部およびその近傍の方を、上記桟の中間部よりも小さく形成して、上記取付部およびその近傍のたわみ剛性を低下させたので、障子の支持が柔構造となり、障子を窓枠側へ引き寄せるときのリンク機構に負荷がかかったときに桟がたわみ変形して負荷を吸収するので、リンク機構への負担が軽減され、その耐久性が向上するとともに、窓枠の気密材に対する負荷も軽減されるので、気密材の耐久性も向上する。
【００２０】
請求項２に係る発明によれば、桟は障子の２つの框の室内側部に設けられた凹溝に嵌合して取り付けられているので、上記框に対する桟の結合が安定した状態で強固に取り付けられ、組立も容易となる。また、障子の重量や引き寄せ荷重あるいは障子が受けた風圧荷重は、上記框に対する桟の取付ビスのみでなく、凹溝でも受けるので、取付ビスへの荷重が軽減されてより安全な取付構造となり、さらに取付ビスの本数を減らすことができる。
【００２１】
請求項３に係る発明によれば、縦桟の端部を成形によって細く板状に形成することができるので、特別の加工をする必要がない。また、障子の室内側に設けられる凹溝に嵌合する場合は、凹溝を小さくすることができる。したがって、框をコンパクトな形状にすることができ、障子の見栄えもよくすることができる。
【００２２】
請求項４に係る発明によれば、縦桟の端部を切除して細く形成したので、縦桟を構成する材料が１種類で済む。また、請求項３に係る発明による効果と同様、框をコンパクトにし、障子の見栄えもよくすることができる。
【００２３】
請求項５に係る発明によれば、縦桟は取付部材と補強部材とから構成されているので、縦桟の端部の切除加工が不要となり、加工が容易でコストが低減される。
【００２４】
請求項６に係る発明によれば、窓枠が破風サッシの窓枠であれば、上述の効果が特に顕著に発揮できる。
【発明を実施するための最良の形態】
【００２５】
本発明の実施形態を図１の住宅の切妻部に設けられた断熱サッシＡについて説明する。上記サッシＡは壁の開口部に嵌め込まれた窓枠１と、この窓枠１の屋外側に略水平方向に突出して開閉するように配置された障子２とから構成されている。
【００２６】
窓枠１は、図１〜図４に示されるように、屋外側の金属製の金属枠ａと屋内側の合成樹脂製の樹脂枠ｂとを結合した構成である。金属枠ａは枠材（金属上部枠５と金属下枠６）を三角形状に枠組みしたもので、その外周にはさらに金属製の枠受け材７ａ、７ｂが固定されている。また、上記金属枠ａは壁開口部を構成する躯体構造材８へ取付けることにより、その内周面は屋内側に露出する。そこで、断熱性を確保するためにこの内周面には合成樹脂製の樹脂枠ｂが結合されている。
【００２７】
樹脂枠ｂは合成樹脂製枠材（樹脂上部枠９と樹脂下枠１０）を三角形状に枠組みしたもので、嵌合とビス止めによって金属枠ａに結合している。そして、上記樹脂枠ｂは、障子２の閉鎖時には、障子２の框３、４の屋内側見付面を覆うように形成され、これによって断熱性を確保している。
【００２８】
障子２は、詳しくは図５に示されるように、金属製框、つまり左右に斜めに配置された上部框３と下框４とを框組みすることによってガラス１１（単一のガラス板）を保持するように構成され、全体は三角形状に形成されている。
【００２９】
次に、図５および図６に示されるように、障子２の上部框３と下框４の間には垂直に対向する1対の縦桟１７が橋渡し状に設けられている。そして、縦桟１７の、上部框３と下框４に対する上下端の取付部１４ａ、１５ａおよびその近傍１４、１５は板状に形成され、中間部には中空部１８が形成されている。つまり、上記取付部１４ａ、１５ａおよびその近傍１４、１５の断面積は中間部１８の断面積よりも小さく形成されている。そして、上記取付部１４ａ、１５ａおよびその近傍１４、１５の剛性は縦桟１７の中間部の剛性よりも小さくなるように構成されている。さらに、図６のように、縦桟１７の端部１４ａ、１５ａはそれぞれ上部框３および下框４の室内側部に形成された凹溝１９、２０に嵌合されているとともに、取付ビス２１によって上部框３および下框４に固定されている。なお、縦桟１７の下端１５は詰め物１２とともに凹溝２０内に嵌め込まれている。また、縦桟１７は障子２のガラス１１よりも室内側に後退した位置に配置されている。
【００３０】
これに対し、前記窓枠１の内側には、図４および図５に示されるように、上部枠５と下枠６の中間部に垂直に対向する１対の補助縦枠２２が橋渡し状に設けられている。上記補助縦枠２２は金属本体２２ａと樹脂カバー２２ｂとから構成され、金属本体２２ａは取付ビスで、上部枠５と下枠６にブラケット（図示せず）を介して固定されている。なお、障子２の縦桟１７と窓枠１の補助縦枠２２とは互いに相対する位置に設けられ、障子２の閉鎖時には縦桟１７は補助縦枠２２の開口部から内側に納まるように構成されている。
【００３１】
次に、上記窓枠１の補助縦枠２２と障子２の縦桟１７とはリンク機構２４を介して連結されている。リンク機構２４は図７に示されるように、一対のステー２４ａ、２４ｂを複数の組み合わせリンク２５を介して連結した公知のもので、２つのステー２４ａ、２４ｂを近接させたときは平行し、ステー２４ａ、２４ｂを離間させたときは僅かに下部の方が上部よりも遠く離れるように構成されている。リンク機構の２つのステー２４ａ、２４ｂはそれぞれ補助縦枠２２の金属本体２２ａと縦桟１７の中空部１８に連結されている。金属下枠６と下框４も別のリンク機構２４´を介して連結されている。このリンク機構２４´には下枠６に対して下框４を押し出し又は引戻す作動装置が連結されている。
【００３２】
作動装置は、一般に窓枠の下枠側に設けられ、障子の下框４を引戻すとき、障子の撓み、リンクのガタ、障子の加工誤差、組立誤差等により、障子の上方の窓枠への当接が弱くなり、水密・気密性能の低下を招いていた。このため、下部が上部よりも大きく開き、閉じ時に上部を強く圧接させておいて最終的に全体が均一に窓枠に当接するようになっている。
【００３３】
上記構成により、障子２はリンク機構２４による押し出し又は引き戻しによって開閉可能に支持されている。すなわち、屋内側から上記作動装置のハンドル（図示せず）を操作することによりリンク機構２４を作動させることにより、障子２を押し出し又は引き戻しし、図５のように屋外側に略水平方向に移動して開き又は閉じ作動させることができるから、窓枠全体を換気開口として利用することができ、内外の換気を効率よく行なうことができる。
【００３４】
そして、障子２を開き作動させたとき、下部が上部よりも大きく開くように作動するので、閉じ作動するときは、図８に示されるように、障子２の頂部１３の方が先に窓枠１の頂部に当接し、その後に障子２の下框４が窓枠の下枠６に当接する。そして、さらに、障子２を強く引き戻して確実に窓枠１に圧接させなければならない。このため、リンク機構２４には大きな負荷がかかる。これに対し、図６および図９に示されるように、縦桟１７の、上部框３と下框４に対する上下端の取付部１４ａ、１４ｂおよびその近傍１４、１５は板状に形成され、中間部１８よりも撓み剛性が小さくなるように形成されているから、障子２の支持が柔構造となり、障子２を窓枠１側へ引き寄せるときのリンク機構２４に負荷がかかったときに図９に点線で示すように縦桟１７が撓み変形して負荷を吸収するので、リンク機構２４への負担が軽減され、その耐久性が向上する。その上、サッシ上部の気密材１６（図８参照）に対する負荷も軽減されるので、気密材１６の耐久性も向上する。
【００３５】
また、縦桟１７の上下端部１４ａ、１５ａは障子２の上部框３と下框４の室内側部に設けられた凹溝１９、２０に嵌合して取り付けられているので、上記上部框３と下框４に対する縦桟１７の結合が安定した状態で強固に取り付けられ、組立も容易となる。また、障子２の重量や引き寄せ荷重あるいは障子２が受けた風圧荷重は、上記上部框３と下框４に対する縦桟１７の取付ビス２１のみでなく、凹溝１９、２０でも受けるので、取付ビス２１への荷重が軽減されてより安全な取付構造となり、さらに取付ビス２１の本数を減らすことができる。
【００３６】
さらに、縦桟１７の障子上部框３および下框４への取付部１４ａ、１５ａの見込み方向の形状は、該縦桟１７の中間部１８より細く板状に形成されているので、障子２の室内側に設けられる凹溝１９、２０も小さくすることができる。したがって、框をコンパクトな形状にすることができ、障子の見栄えもよくすることができる。
【００３７】
なお、縦桟１７の障子上部框３および下框４への取付部およびその近傍１４、１５の見込み方向の形状を中間部１８より細く形成するためには、押出型材製の縦桟の端部を切除してもよく、一体に成形してもよく、あるいは図示しないが、縦桟を、障子の上部框および下框へ取り付ける取付部材と該取付部材の中間部を補強する補強部材とから構成してもよい。
【００３８】
縦桟の切除構成によれば、縦桟を構成する材料が１種類で済む。一体成形構成によれば、切断等の加工が不要となる。また、補強構成によれば、縦桟の端部の切除加工が不要となり、加工が容易でコストが低減される。いずれの場合も、框の凹溝を小さくすることができる。したがって、框をコンパクトな形状にすることができ、障子の見栄えもよくすることができる。
【００３９】
なお、障子に設けられる桟は縦桟に限定されない。左右の縦框に橋渡しされる横桟であってもよい。また、上記障子支持構造を採用可能なサッシの形状も三角形状に限定されない。矩形サッシでもよく、五角形状などでもよい。また、障子の閉じ態様も、左右の一側が他側よりも先に閉じるという構成であってもよい。
【図面の簡単な説明】
【００４０】
【図１】切妻部にサッシを設けた住宅の斜視図である。
【図２】上記サッシの外観図である。
【図３】図２のＸ−Ｘ線上の断面図である。
【図４】図２のＹ−Ｙ線上の断面図である。
【図５】障子を開いた状態の斜視図である。（外観図）
【図６】縦桟の取付状態を示す要部の断面図である。
【図７】リンク機構の側面図である。
【図８】障子の閉鎖直前の状態を示す説明図である。
【図９】閉鎖時に縦桟が撓み変形することを示す説明図である。
【符号の説明】
【００４１】
１    窓枠
２    障子
３  上部框
４  下框
１７    縦桟
１９、２０  凹溝
２４    リンク機構
【図１】
2006144287.tif 000003
【図２】
2006144287.tif 000004
【図３】
2006144287.tif 000005
【図４】
2006144287.tif 000006
【図５】
2006144287.tif 000007
【図６】
2006144287.tif 000008
【図７】
2006144287.tif 000009
【図８】
2006144287.tif 000010
【図９】
2006144287.tif 000011